(57)【特許請求の範囲】
【請求項１】
上方が物品収容口とされた物品収容部を有するコンソールボックスにおいて、
一側の面に物品保持リブを並列に有する２枚の開閉板が、それぞれの上方への回動により前記物品保持リブを対向させて所定間隔離れて起立させる開状態になり、下方への回動により前記物品保持リブを下側にして該物品保持リブとは反対側の背面が上向きに並ぶ閉状態となるように、当該各々の開閉板の一端側で、前記物品収容部内下部に上下回動可能に取り付けられていることを特徴とするコンソールボックス。
【請求項２】
物品収容部内の底面に開閉板収容凹部が設けられ、該収容凹部に開閉板の一端側が上下回動可能に取り付けられ、閉状態時に開閉板の背面が開閉板収容凹部に蓋をするようにされていることを特徴とする請求項１記載のコンソールボックス。
【請求項３】
上方が物品収容口とされた物品収容部を有するコンソールボックスにおいて、
前記物品収容部内の底面に開閉板収容凹部が設けられ、開閉板が軸着される前記収容凹部内側面にもしくは前記内側面と直交する方向に沿って前記収容凹部内の底面に物品保持リブが並設されるとともに、前記収容凹部に開閉板がその一端側で上下回動可能に取り付けられ、該開閉板の上方回動により開閉板が起立して前記開閉板収容凹部を開く開状態になり、前記開閉板の下方回動により開閉板の背面が上向きになって前記開閉板収容凹部に蓋をする閉状態となるようにされていることを特徴とするコンソールボックス。
【請求項４】
開閉板と物品収容部の開閉板取付部における開閉板開位置と閉位置とに、開閉板の自由回動を規制する係止機構を設けたことを特徴とする請求項１ないし３記載のコンソールボックス。
【発明の詳細な説明】
【０００１】
【発明の属する技術分野】
この発明は、自動車のコンソールボックスに関する。
【０００２】
【従来の技術】
従来、自動車内には、運転席と助手席の間に物品収容のために、上方が物品収容口とした物品収容部を有するコンソールボックスが設けられることが多い。前記物品収容部は種々のものを収容できるように何ら仕切られていないのが一般的である。
【０００３】
しかしながら、このようなコンソールボックスの物品収容部にカセットテープやコンパクトディスク（ＣＤ）等を収容すると、走行時の振動などにより、収容部内で散乱し、他の物の下敷きになって取り出しにくくなったり、さらにはカセットケースやＣＤケースが傷ついたりする不具合があった。
【０００４】
前記不具合に対し、最近では、カセットテープやＣＤ等を収容保持する構造を有するものが知られている。図１４に示すコンソールボックス６０は、ＣＤを保持する仕切り部を脱着可能に有するもので、その仕切り部が、ＣＤ保持リブ６６の形成された２枚のＣＤ保持板６５，６５と、物品収容部６１内の下部の側面に形成されたＣＤ保持板固定溝６２とからなる。前記ＣＤ保持板６５は、前記ＣＤ保持リブ６６が対向するように、所定間隔離して起立した状態でＣＤ保持板固定溝６２に嵌着使用され、使用しないときには、前記固定溝６２から抜き取られるようにされる。図において、符号６８は蓋体、６９は蓋体をコンソールボックスに開閉可能に連結するヒンジ部である。この他、図１５に示すように、内側に前記同様のＣＤ保持リブ７１が形成されたＣＤ保持ボックス７０を、使用に応じて物品収容部６１内に配置するものもある。
【０００５】
しかるに、前記構造にあっては、ユーザーがＣＤを収容する毎に前記ＣＤ保持板６５やＣＤ保持ボックス７０を取り付けねばならず、またＣＤを収容しないときには外さねばならない煩雑さがある。しかもＣＤを収容しないときもＣＤ保持板６５やＣＤ保持ボックス７０を取り付けた状態にしておくと、ＣＤ保持板６５やＣＤ保持ボックス７０が邪魔して肝心の物を収容できなくなる問題がある。さらに、取り外したＣＤ保持板６５やＣＤ保持ボックス７０を、次の使用時までどこかにしまっておかねばならない煩わしさがあり、次に使用する際にその収納場所を忘れてしまうこともある。また、前記ＣＤ保持板６５やＣＤ保持ボックス７０を外しても、ＣＤ保持板固定溝６２やＣＤ保持ボックス固定部（図示せず）が物品収容部内に存在して物品収容部内の空間を狭くし、収容できる物品のサイズが小さくなったり、収容できる物品の数が少なくなる問題もある。
【０００６】
【発明が解決しようとする課題】
この発明は前記の点に鑑みなされたもので、カセットテープやコンパクトディスク（ＣＤ）等の保持部を有し、かつ不使用時には前記保持部を邪魔にならないように収納することができるコンソールボックスを提供するものである。
【０００７】
【課題を解決するための手段】
すなわち、請求項１の発明は、上方が物品収容口とされた物品収容部を有するコンソールボックスにおいて、一側の面に物品保持リブを並列に有する２枚の開閉板が、それぞれの上方への回動により前記物品保持リブを対向させて所定間隔離れて起立させる開状態になり、下方への回動により前記物品保持リブを下側にして該物品保持リブとは反対側の背面が上向きに並ぶ閉状態となるように、当該各々の開閉板の一端側で、前記物品収容部内下部に上下回動可能に取り付けられていることを特徴とするコンソールボックスに係る。
【０００８】
また、請求項２の発明は、物品収容部内の底面に開閉板収容凹部が設けられ、該収容凹部に開閉板の一端側が上下回動可能に取り付けられ、閉状態時に開閉板の背面が開閉板収容凹部に蓋をするようにされていることを特徴とする請求項１記載のコンソールボックスに係る。
【０００９】
請求項３の発明は、上方が物品収容口とされた物品収容部を有するコンソールボックスにおいて、前記物品収容部内の底面に開閉板収容凹部が設けられ、開閉板が軸着される前記収容凹部内側面にもしくは前記内側面と直交する方向に沿って前記収容凹部内の底面に物品保持リブが並設されるとともに、前記収容凹部に開閉板がその一端側で上下回動可能に取り付けられ、該開閉板の上方回動により開閉板が起立して前記開閉板収容凹部を開く開状態になり、前記開閉板の下方回動により開閉板の背面が上向きになって前記開閉板収容凹部に蓋をする閉状態となるようにされていることを特徴とするコンソールボックスに係る。
【００１０】
請求項４の発明は、開閉板と物品収容部の開閉板取付部における開閉板開位置と閉位置とに、開閉板の自由回動を規制する係止機構を設けたことを特徴とする請求項１ないし３記載のコンソールボックスに係る。
【００１１】
【発明の実施の形態】
以下添付の図面に従ってこの発明を詳細に説明する。
図１はこの発明の一実施例に係るコンソールボックスの概略を示す斜視図、図２は同実施例の開閉板開状態を拡大して示す斜視図、図３は同実施例の開閉板閉状態を示す斜視図、図４は同実施例の開閉板を示す要部分解斜視図、図５は開閉板一端の係止機構の一例を拡大して示す斜視図、図６は同係止機構の作動を示す部分断面図、図７は他の係止機構を示す部分断面図、図８はさらに他の係止機構を示す部分断面図、図９はさらに他の係止機構の一部を示す部分斜視図、図１０は図９の係止機構の作動を示す部分断面図、図１１は他の実施例の開閉板を示す部分斜視図、図１２は他の実施例を示す斜視図、図１３はさらに他の実施例を示す斜視図である。
【００１２】
図１ないし図３に示すこの発明のコンソールボックス１０は、上方が物品収容口１２とされた物品収容部１１を有するものでプラスチック製からなる。このコンソールボックス１０は、以下の実施例において、特に物品収容部１１内にＣＤを保持する構造のものについて説明するが、カセットテープ類を保持するものであってもよい。したがって、この例の物品収容部１１の深さｔ（上下高さ）は、ＣＤを立てて収容できる高さとされる。図において、符号１８は蓋体で、１９は蓋体をコンソールボックスに開閉可能に連結するヒンジ部である。
【００１３】
前記物品収容部内１１の下部には、一側の面に物品保持リブ２１が並列に形成された２枚の開閉板２０，２０が上下回動可能に取り付けられる。開閉板２０は、上方への回動により、図１及び図２のように前記物品保持リブ２１を上下方向にし、かつ対向させて所定間隔離れて起立する開状態となり、また、図３のような下方への回動により前記物品保持リブ２１を下側にして該物品保持リブ２１とは反対側の背面２２が上向きの略水平に並ぶ閉状態となるように、当該各々の開閉板２０の一端側で、前記物品収容部１１内下部に上下回動可能に取り付けられている。実施例においては、２枚の開閉板２０が、物品収容部１１の長手方向Ｎに直交し、且つ、該長手方向Ｎに対し所定間隔離して立設されているものであるが、これに限られるものではなく、前記開閉板をさらに多数のものとし、保持するＣＤの枚数の応じて開閉して使用するものや、物品収容部１１の寸法に応じて長手方向Ｎに沿って（短手方向に所定間隔離して）設けられたものでも良い。
【００１４】
以下、開閉板については、説明の便宜上、起立状態を基本として説明する。前記開閉板２０は、前記のように、また図２及び図４から容易に理解されるように、一側の面に前記物品保持リブ２１が所定間隔で並列に複数形成されている。この開閉板２０の側面２５の下端には、回動軸２３が突出形成されており、その回動軸２３を介して物品収容部１１内下部に回動可能に軸着される。さらに、前記開閉板２０はその上面２４及び側面２５の物品保持リブ２１側にフランジ部Ｆ（折り返し）を形成して剛性を高めるとともに、底面２６となる部分は回動容易性を持たすために曲面状とするのが好ましい。側面２５のフランジ部Ｆの幅Ｆ１は、省スペース性及び外観性の観点から物品保持リブ２１の幅と同等程度に形成するのが好ましい。
【００１５】
また、開閉板上面２４の中央部には開きつまみ２７を設けるのが好ましい。開きつまみ２７は、図３に示す閉状態の開閉板２０を引き起こして起立状態とする場合の把持部となる部分で、この例においては、一方の開閉板２０の上面２４に開きつまみ２７を突設し、他方の開閉板２０の対応する位置に指用スペースとして凹部２７ａを設け、開閉板２０の閉状態時に開きつまみ２７が他方の開閉板２０背面の凹部２７ａに重なるようにした。これによれば、開閉板２０をそれぞれ下方へ回動させて閉状態とした際にも、該開きつまみ２７が開閉板背面２２から突出せず、その背面２２上に物品を収容するのに邪魔になることがない。しかも前記閉状態時に開閉板２０持ち上げのための指挿入用隙間が両開閉板２０間に生じないため、収容物品が開閉板間２０の隙間から落下することがない。
【００１６】
前記開きつまみ２７は、前記実施例のものに限定されず、図１１に示すように、開閉板２０Ａ，２０Ａの上面（閉時の接合面）２４Ａの中央部に、それぞれ半円形のくぼみ部からなる開きつまみ２７Ａ，２７Ａを形成し、閉状態において円形の指挿入用開口となるようにしたものも、使い勝手が良いものの一例として挙げられる。ただ、この場合には前記開閉板２０Ａの閉状態時に開閉板２０Ａ間に指挿入用開口が存在するため、その指挿入用開口から収容物品が落下し易い点で、前記開きつまみ２７よりも劣る。
【００１７】
また、この例のコンソールボックス１０には、物品収容部１１の底面１３に開閉板収容凹部３０が設けられ、該収容凹部３０に開閉板２０の一端側が上下回動可能に取り付けられている。そして、図３に示す閉状態時に開閉板２０の背面２２によって開閉板収容凹部３０に蓋をするようにされている。そのため、開閉板収容凹部３０上にも物品を効率良く収容できる。さらに、この例のように、前記閉状態時に開閉板２０の背面２２が、開閉板収容凹部３０の周囲の一般部底面１３と略面一となるようにするのが好ましい。そうすれば、物品をガタツキ無く安定して物品収容部１１底面１３に載置することができ、収容スペースも増大する。
【００１８】
開閉板収容凹部３０は、前記閉時に開閉板２０を収容可能な所定サイズに形成されたもので、閉時における開閉板２０外周との隙間が１ｍｍ程度となるようにすると、収容時の見栄えも良好となる。該収容凹部３０の深さ寸法ｄは、前記開閉板２０の側面２５におけるフランジ部Ｆの厚みＦ１と同等もしくは、１ｍｍ程度深いものとするのが好ましい。開閉板収容凹部３０の寸法を前記のように設定することにより、開閉板２０の閉状態時において、開閉板２０の背面２２と、物品収容部１１の一般部底面１３とが略面一となるようにできる。
【００１９】
さらに、前記開閉板収容凹部３０の一組の相対する側壁３１の両縁付近には、前記開閉板２０の回動軸２３を回動可能に保持する軸孔３２が設けられる。前記軸孔３２は、この例において成形の便宜上、下向きＵ字状のものとしたが、前記回動軸２３よりも大なる径の円形のものとしても良い。
【００２０】
また、前記コンソールボックス１０には、開閉板２０と物品収容部１１の開閉板取付部３５における開閉板２０開位置と閉位置とに、開閉板２０の自由回動を規制する係止機構４０を設けるのが好ましい。この係止機構４０は、開閉板２０の開位置と閉位置を確定し、係止保持することにより、安全性や使用感を向上させるものである。
【００２１】
図５及び図６に係止機構４０の一例を示す。図示の係止機構４０は、開閉板側凸部４１と開閉板収容凹部側凸部４６とからなる。前記開閉板側凸部４１は、開閉板２０の下端（回動軸側端面）に突条に形成されたもので、この例においては、後記開閉板収容凹部側凸部４６との凸部係り量が０．５ｍｍ程度となるよう、開閉板側凸部４１の突出量が設定されている。
【００２２】
他方、開閉板収容凹部側凸部４６は、開位置側係止凸部４７と閉位置側係止凸部４８からなるもので、前記開閉板側凸部４１と係合して、それぞれ開閉板２０の開位置と閉位置を確定し、その状態を係止保持する。なお、この例の前記開閉板側凸部４１及び開閉板収容凹部側凸部４６は、開閉板２０及び開閉板収容凹部３０の幅方向（物品収容部１１の短手方向）両端付近に形成された所定幅の突状のものからなるが、開閉板２０及び開閉板収容凹部３０の幅方向に連続した突条のものとしても良い。また、開位置側係止凸部４７は、開閉板２０の起立状態を保持するためのものであるため、開閉板側凸部４１を両側から挟持できるように、開閉板収容凹部３２の幅方向両側に２個ずつ形成されているが、前記閉位置側係止凸部４８については、単に開閉板２０の閉状態における浮き上がりを防止するものであるため、１個ずつ設ければ足りる。
【００２３】
前記係止機構は、前記実施例のものに限られず、図７に示す係止機構４０Ｂのように、前記実施例と同様の開閉板側凸部４１Ｂに対応する開閉板収容凹部３０Ｂの開位置と閉位置に、開閉板側凸部４１Ｂが係合する凹部もしくは溝状の係止凹部４７Ｂ，４８Ｂを設けたものであってもよい。この機構においては、開閉板２０Ｂの回動時に開閉板側凸部４１Ｂと収容凹部３０Ｂの一般面が摺接することによって、開閉板２０Ｂの開閉時に適度な荷重が加わって使用感が良好になる効果もある。あるいは、図８に示す係止機構４０Ｃのように、開閉板２０Ｃの側面２５Ｃに開閉板側凸部（もしくは凹部）４１Ｃを設けるとともに、開閉板収容凹部３０Ｃの側面に対応する係止凹部（凸部）（図示せず）を設けた構造としても良い。
【００２４】
また、図９及び図１０のように、開閉板２０Ｄの下端付近に円弧状のバネ片Ｓを形成し、そのバネ片Ｓの先端に係止凸部４１Ｄを設け、他方、開閉板収容凹部３０には、図６と同様の開位置側係止凸部４７と閉位置側係止凸部４８を設けてもよい。この機構によれば、バネ片Ｓの弾性により、係合時の使用感を高めることができるとともに、両係止凸部４１Ｄ，４７，４８の摩耗を軽減する効果を有する。
【００２５】
本発明のコンソールボックスは、前記実施例に示したものの他、請求項３に規定したように、開閉板収容凹部内の側面もしくは底面に物品保持リブが並設され、前記開閉板が上下回動して該収容凹部を開閉する構造としてもよい。
以下、この実施例について説明する。
【００２６】
図１２に示すコンソールボックス１００は、前記実施例のコンソールボックス１０と同様に物品収容部１１０内の底面に開閉板収容凹部３００が設けられたもので、特に、前記開閉板収容凹部３００内の側面３１０に複数の物品保持リブ２１０が形成されている。この場合、開閉板２００，２００は閉状態で該物品保持リブ２１０を隠蔽する蓋体として機能するものとなる。なお、開閉板２００のフランジ部１００Ｆは物品保持リブ２１０の上端と開閉板収容用凹部３００の底面間の距離と略等しい厚み（高さ）とされている。
【００２７】
また、図１３に示すコンソールボックス１００Ａは、前記開閉板収容凹部３００Ａの底面に物品保持リブ２１０Ａが設けられたタイプである。この物品保持リブ２１０Ａは、この例において、コンソールボックス１００Ａの幅方向に並設されたものであるが、長手方向に沿って並設したものや、分断されたリブ等適宜のものとしてもよい。
【００２８】
このようなコンソールボックス１００，１００Ａの構造によれば、必要に応じて開閉板２００，２００Ａを開いて使用することができる。また、少数のＣＤ等を収容する場合には、一方の開閉板２００，２００Ａのみを開いて収容保持させることによって、他方の閉じた開閉板２００，２００Ａはその背面２２０，２２０Ａが一般収容部として使用できることとなり、使用態様が増えて好ましい。また、この構造にあっては、必ずしも開閉板を２枚に限らず、開閉板を１枚として蓋をする構造や、さらに多数に分割したものとして必要枚数を開閉する構造とすることもできる。開閉板２００の開閉機構及び係止機構等は前記実施例と同様とする。
【００２９】
なお、前記の例においては、特にＣＤの保持を目的とするものを示したが、前記物品保持リブ２１間隔や、開閉板２０，２０の間隔等を変更することのみで、容易にカセットテープ等の収容保持に対応することができる。
【００３０】
【発明の効果】
以上図示し説明したように、請求項１のコンソールボックスによれば、物品保持リブの形成された開閉板が、起立する開状態と、物品保持リブの背面が上向きになって並ぶ閉状態とになれるように、上下回動可能に物品収容部内下部に取り付けられたものであるため、保持具を脱着することなく、物品収容部内にＣＤ等を収容保持することができ、かつ不使用時には該開閉板が嵩張らないように、収納することができ、使用性が非常によい。
【００３１】
また、請求項２の発明によれば、物品収容部の内底面に設けた開閉板収容凹部に蓋をするように開閉板を収容できるため、開閉板が収容物品の邪魔になることがなく、安定して物品を収容することができる。さらに、開閉板の閉状態時に開閉板の背面と、開閉板収容凹部の周囲の一般部底面が略面一となるようにすれば、極めて安定よく、物品を収容でき、物品収容部内のスペースを有効に使用することができる。
【００３２】
さらに、請求項３の発明によれば、請求項１と同様の効果に加えて開閉板収容凹部内側面もしくは底面に物品保持リブを並設した構造であるため、使用に応じて開閉板を部分的に開いて物品を収容することができ、開かない開閉板はその背面が一般物品収容部として使用することができ、物品収容部内の使用態様が広がる。
【００３３】
請求項４の発明によれば、開閉板開位置と閉位置とに係止機構を設けたものであるため、開閉板を開位置と閉位置に確実に保持でき、しかも開閉板の回動時に開位置と閉位置が容易にわかるため、安全性や使用感が向上する効果がある。
【図面の簡単な説明】
【図１】  この発明の一実施例に係るコンソールボックスの概略を示す斜視図である。
【図２】  同実施例の開閉板開状態を拡大して示す斜視図である。
【図３】  同実施例の開閉板閉状態を示す斜視図である。
【図４】  同実施例の開閉板を示す要部分解斜視図である。
【図５】  開閉板一端の係止機構の一例を拡大して示す斜視図である。
【図６】  同係止機構の作動を示す部分断面図である。
【図７】  他の係止機構を示す部分断面図である。
【図８】  さらに他の係止機構を示す部分断面図である。
【図９】  さらに他の係止機構の一部を示す部分斜視図である。
【図１０】  図９の係止機構の作動を示す部分断面図である。
【図１１】  他の実施例の開閉板を示す部分斜視図である。
【図１２】  他の実施例を示す部分斜視図である。
【図１３】  さらに他の実施例を示す部分斜視図である。
【図１４】  従来のコンソールボックスを示す斜視図である。
【図１５】  従来における他の実施例を示す斜視図である。
【符号の説明】
１０，１００  コンソールボックス
１１  物品収容部
２０  開閉板
２１  物品保持リブ
２２  開閉板背面
３０  開閉板収容凹部
４０  係止機構
【図１】
0004274609.tif 000002
【図２】
0004274609.tif 000003
【図３】
0004274609.tif 000004
【図４】
0004274609.tif 000005
【図５】
0004274609.tif 000006
【図６】
0004274609.tif 000007
【図７】
0004274609.tif 000008
【図８】
0004274609.tif 000009
【図９】
0004274609.tif 000010
【図１０】
0004274609.tif 000011
【図１１】
0004274609.tif 000012
【図１２】
0004274609.tif 000013
【図１３】
0004274609.tif 000014
【図１４】
0004274609.tif 000015
【図１５】
0004274609.tif 000016